(57)【要約】【課題】色ムラの発生を抑制しつつ、照明光の色みの調整する。【解決手段】本発明の一実施形態に係るヘッドランプ１ａは、半導体レーザ素子２と、第１の蛍光体および第２の蛍光体を少なくとも含む発光部５とを備える。半導体レーザ素子２は、第１の蛍光体の吸収波長領域と第２の蛍光体の吸収波長領域とが互いに重なり合う波長領域において、レーザ光の波長を変化させる。【選択図】図１
2013161889.tif 000002
【特許請求の範囲】
【請求項１】
励起光を出射する励起光源と、
前記励起光源から出射された前記励起光を吸収して蛍光を発する第１の蛍光体と、当該第１の蛍光体とはピーク波長の異なる蛍光を発する第２の蛍光体とを、少なくとも含む発光部とを備え、
前記励起光源は、前記第１の蛍光体の吸収波長領域と前記第２の蛍光体の吸収波長領域とが互いに重なり合う波長領域において、前記励起光の波長を変化させることを特徴とする発光装置。
【請求項２】
前記励起光源は、前記互いに重なり合う波長領域のうち、前記第１の蛍光体の吸収端または前記第２の蛍光体の吸収端、および当該吸収端近傍の波長領域において、前記励起光の波長を変化させることを特徴とする請求項１に記載の発光装置。
【請求項３】
前記第１の蛍光体は、前記第２の蛍光体よりもピーク波長の短い蛍光を発するものであり、
前記励起光源は、前記互いに重なり合う波長領域のうち、前記第１の蛍光体の最も長波側にある吸収端および当該吸収端近傍の波長領域において、前記励起光の波長を変化させることを特徴とする請求項１または２に記載の発光装置。
【請求項４】
前記励起光源は、半導体発光素子であり、
前記半導体発光素子の温度を調整する温度調整部をさらに備えることを特徴とする請求項１から３のいずれか１項に記載の発光装置。
【請求項５】
前記励起光源として、異なる波長の励起光を出射する複数の光源を備え、
前記複数の光源は、異なる波長の前記励起光を選択的に出射することを特徴とする請求項１から３のいずれか１項に記載の発光装置。
【請求項６】
前記励起光は、レーザ光であることを特徴とする請求項１から５のいずれか１項に記載の発光装置。
【請求項７】
請求項１から６のいずれか１項に記載の発光装置を備えることを特徴とする車両用前照灯。
【請求項８】
励起光源から出射された励起光を吸収して蛍光を発する第１の蛍光体と、当該第１の蛍光体とはピーク波長の異なる蛍光を発する第２の蛍光体とを、少なくとも含む発光部を備える発光装置の色み調整方法であって、
前記第１の蛍光体の吸収波長領域と前記第２の蛍光体の吸収波長領域とが互いに重なり合う波長領域において、前記励起光の波長を変化させる波長制御ステップを含むことを特徴とする発光装置の色み調整方法。
【発明の詳細な説明】
【技術分野】
【０００１】
本発明は、励起光を蛍光体に照射することで発生する蛍光を照明光として利用する発光装置、車両用前照灯および発光装置の色み調整方法に関する。
【背景技術】
【０００２】
近年、励起光源として発光ダイオード（ＬＥＤ；Light Emitting Diode）や半導体レーザ素子（ＬＤ；Laser Diode）などの半導体発光素子を備え、これらの励起光源から生じた励起光を、蛍光体を含む発光部に照射することによって発生する蛍光を照明光として用いる照明装置の研究が盛んになってきている。
【０００３】
このような照明装置に関する技術として、例えば、特許文献１には、図１４（ａ）に示されるように、色温度の低い黄色ＬＥＤ１０と色温度の高い青色ＬＥＤ１１とを備え、これら複数のＬＥＤから発せられた黄色の光と青色の光とを混合して照明光の色みを調整する照明機器１２が開示されている。
【先行技術文献】
【特許文献】
【０００４】
【特許文献１】特開２０１０−２７２５３６号公報（２０１０年１２月０２日公開）
【非特許文献】
【０００５】
【非特許文献１】木島直人著、「白色ＬＥＤ照明技術のすべて」、工業調査会、２００９年、第３章  田口常正編
【非特許文献２】中西洋一郎著、「白色ＬＥＤの用途に向けた蛍光体」、応用物理学会、２０１１年、応用物理  第８０巻  第４号
【発明の概要】
【発明が解決しようとする課題】
【０００６】
しかしながら、特許文献１に開示された照明機器１２では、複数のＬＥＤ（発光部）から出射された異なる色の光を混合して、照明光の色みを調整する構成であるため、得られる照明光に色ムラが生じる。そのため、特許文献１に開示された照明機器１２では、この色ムラを防止するために、拡散板などが必要となる。
【０００７】
また、特許文献１に開示された照明機器１２では、図１４（ｂ）に示されるように、青色ＬＥＤ１１の電流値を変化させるための回路が必要であり、装置構成が複雑になるという課題がある。
【０００８】
本発明は、上記従来の課題に鑑みてなされたものであって、その目的は、より簡略化した装置構成で、色ムラの発生を抑制しつつ、照明光の色みを調整することが可能な発光装置を実現することにある。また、本発明の他の目的は、色ムラの発生を抑制しつつ、照明光の色みを調整することが可能な発光装置の色み調整方法を実現することにある。
【課題を解決するための手段】
【０００９】
本発明に係る発光装置は、上記の課題を解決するために、励起光を出射する励起光源と、前記励起光源から出射された前記励起光を吸収して蛍光を発する第１の蛍光体と、当該第１の蛍光体とはピーク波長の異なる蛍光を発する第２の蛍光体とを、少なくとも含む発光部とを備え、前記励起光源は、前記第１の蛍光体の吸収波長領域と前記第２の蛍光体の吸収波長領域とが互いに重なり合う波長領域において、前記励起光の波長を変化させることを特徴とする。
【００１０】
上記の構成では、発光部は、第１の蛍光体と当該第１の蛍光体とはピーク波長の異なる蛍光を発する第２の蛍光体とを少なくとも含み、励起光源は、第１の蛍光体の吸収波長領域と第２の蛍光体の吸収波長領域とが互いに重なり合う波長領域において、励起光の波長を変化させる。
【００１１】
ここで、蛍光体の発光効率は、照射される励起光の波長に応じて、蛍光体の種類ごとにそれぞれ変化する。そのため、第１の蛍光体および第２の蛍光体を少なくとも含む発光部に照射する励起光の波長を、第１の蛍光体の吸収波長領域と第２の蛍光体の吸収波長領域とが互いに重なり合う波長領域において変化させることで、第１の蛍光体から発せられる蛍光と第２の蛍光体から発せられる蛍光との比率が変化するため、発光部から出射される照明光の色みを調整することができる。
【００１２】
このように、上記の構成によれば、励起光の波長を制御することで、単一の発光部から出射される照明光の色みを調整することができるため、従来のように、複数の発光部から出射される光を混合して照明光の色みを調整する構成に比べて、装置構成を簡略化することができると共に、色ムラの発生を抑制することができる。
【００１３】
従って、上記の構成によれば、より簡略化した装置構成で、色ムラの発生を抑制しつつ、照明光の色みを調整することが可能な発光装置を実現することができる。
【００１４】
また、本発明に係る発光装置では、前記励起光源は、前記互いに重なり合う波長領域のうち、前記第１の蛍光体の吸収端または前記第２の蛍光体の吸収端、および当該吸収端近傍の波長領域において、前記励起光の波長を変化させることが好ましい。
【００１５】
一般的に、吸収端の波長領域で蛍光体を励起すると、蛍光体の発光効率は大きく変化する。
【００１６】
上記の構成によれば、励起光源は、互いに重なり合う波長領域のうち、第１の蛍光体の吸収端または第２の蛍光体の吸収端、および当該吸収端近傍の波長領域において、励起光の波長を変化させるので、第１の蛍光体および第２の蛍光体のいずれか一方の発光効率を大きく変化させて、発光部から出射される照明光の色みを効率的に変えることができる。
【００１７】
また、上記の構成によれば、励起光源は、互いに重なり合う波長領域のうち、狭い波長領域において励起光の波長を変化させることで、発光部から出射される照明光の色みを調整することが可能となるので、励起光の波長を変化させるための機構を簡略化することができる。
【００１８】
また、本発明に係る発光装置では、前記第１の蛍光体は、前記第２の蛍光体よりもピーク波長の短い蛍光を発するものであり、前記励起光源は、前記互いに重なり合う波長領域のうち、前記第１の蛍光体の最も長波側にある吸収端および当該吸収端近傍の波長領域において、前記励起光の波長を変化させることが好ましい。
【００１９】
一般的に、吸収端の波長領域で蛍光体を励起すると、蛍光体の発光効率が大きく変化することが知られている。
【００２０】
上記の構成によれば、励起光源は、互いに重なり合う波長領域のうち、第１の蛍光体の吸収端および当該吸収端近傍の波長領域において、励起光の波長を変化させるので、第１の蛍光体の発光効率を大きく変化させて、発光部から出射される照明光の色みを効率的に変えることができる。
【００２１】
また、上記の構成によれば、第２の蛍光体よりもピーク波長の短い蛍光を発する第１の蛍光体の最も長波側にある吸収端および当該吸収端近傍の波長領域において、励起光の波長を変化させるので、例えば、第１の蛍光体として青色蛍光体、第２の蛍光体として黄色蛍光体を用いた場合、励起光として近紫外光を用いて、青色蛍光体から発せられる蛍光を黄色蛍光体から発せられる蛍光に対して相対的に変化させて容易に照明光色みを変えることができるので、実施化の観点から好ましい。
【００２２】
また、本発明に係る発光装置では、前記励起光源は、半導体発光素子であり、前記半導体発光素子の温度を調整する温度調整部をさらに備えることが好ましい。
【００２３】
上記の構成では、励起光源である半導体発光素子の温度を調整する温度調整部をさらに備えているので、温度調整部によって、半導体発光素子の温度を調整することで、励起光の波長を変化させることができる。
【００２４】
例えば、温度調整部によって半導体発光素子の温度を低下させることで、励起光の波長を短くするなどといった制御が可能となる。
【００２５】
従って、上記の構成によれば、単一の励起光源から出射される励起光の波長を変化させることができる。
【００２６】
また、本発明に係る発光装置では、前記励起光源として、異なる波長の励起光を出射する複数の光源を備え、前記複数の光源は、異なる波長の前記励起光を選択的に出射することが好ましい。
【００２７】
上記の構成では、励起光源として、異なる波長の励起光を出射する複数の光源を備え、複数の光源は、異なる波長の励起光を選択的に出射する。
【００２８】
従って、上記の構成によれば、複数の光源を選択的に駆動させて異なる波長の励起光を出射させることで、励起光源から出射される励起光の波長を変化させることができる。
【００２９】
また、上記の構成によれば、発光部に照射される励起光の波長を大きく変化させることができるので、照明光の色みを大幅に変えることができる。
【００３０】
また、本発明に係る発光装置では、前記励起光は、レーザ光であることが好ましい。
【００３１】
上記の構成によれば、励起光源と蛍光体を含む発光部とを離間して設置することが容易になるので、励起光源で発生する熱の発光部への伝導が抑えられ、発光部の温度上昇による蛍光体の発光効率の低下を抑制することができる。一般的に、蛍光体は温度上昇と共に発光効率の低下が見られるが、励起光源と発光部とを離間して設置することにより、励起光源で発生する熱の影響を発光部に与えることなく、励起光源の温度を制御することができる。
【００３２】
また、励起光としてレーザ光を用いることで、励起光を小さなスポットに絞って発光部に照射することができる。そのため、発光部としてＬＥＤなどを備えた従来の装置に比べて、小さなサイズで高輝度な発光部（点光源）を実現することができると共に、この小さな発光部から出射される照明光の色みを調整することができる。
【００３３】
本発明に係る車両用前照灯は、上記の課題を解決するために、上記発光装置を備えることを特徴とする。
【００３４】
上記の構成によれば、より簡略化した装置構成で、色ムラの発生を抑制しつつ、照明光の色みを調整することが可能な車両用前照灯を実現することができる。
【００３５】
これにより、例えば、雨天時や霧がかかっている場合には、相対的に長波長成分が多く含まれた色温度の低い照明光を照射することで照明光の乱反射を防止して視認性を向上させることができる。一方、晴天時には、相対的に短波長成分が多く含まれた色温度の高い照明光を照射することで視認性を向上させることができる。
【００３６】
本発明に係る発光装置の色み調整方法は、上記の課題を解決するために、励起光源から出射された励起光を吸収して蛍光を発する第１の蛍光体と、当該第１の蛍光体とはピーク波長の異なる蛍光を発する第２の蛍光体とを、少なくとも含む発光部を備える発光装置の色み調整方法であって、前記第１の蛍光体の吸収波長領域と前記第２の蛍光体の吸収波長領域とが互いに重なり合う波長領域において、前記励起光の波長を変化させる波長制御ステップを含むことを特徴とする。
【００３７】
上記の方法によれば、色ムラの発生を抑制しつつ、照明光の色みの調整が可能な発光装置の色み調整方法を実現することができる。
【発明の効果】
【００３８】
以上のように、本発明に係る発光装置は、本発明に係る発光装置は、上記の課題を解決するために、励起光を出射する励起光源と、前記励起光源から出射された前記励起光を吸収して蛍光を発する第１の蛍光体と、当該第１の蛍光体とはピーク波長の異なる蛍光を発する第２の蛍光体とを、少なくとも含む発光部とを備え、前記励起光源は、前記第１の蛍光体の吸収波長領域と前記第２の蛍光体の吸収波長領域とが互いに重なり合う波長領域において、前記励起光の波長を変化させる。
【００３９】
また、本発明に係る発光装置の色み調整方法は、励起光を出射する励起光出射ステップと、前記励起光出射ステップにて出射した前記励起光を吸収して蛍光を発する第１の蛍光体と、当該第１の蛍光体とはピーク波長の異なる蛍光を発する第２の蛍光体と、を少なくとも含む発光部を発光させる発光ステップと、前記第１の蛍光体の吸収波長領域と前記第２の蛍光体の吸収波長領域とが互いに重なり合う波長領域において、前記励起光の波長を変化させる波長制御ステップとを含む。
【００４０】
それゆえ、本発明によれば、色ムラの発生を抑制しつつ、照明光の色みの調整が可能な発光装置および発光装置の色み調整方法を実現することができるという効果を奏する。
【図面の簡単な説明】
【００４１】
【図１】実施形態１に係るヘッドランプの概略構成を示す断面図である。
【図２】図１に示されるペルチェユニットを示す拡大図断面図である。
【図３】蛍光体の励起スペクトルと発光スペクトルとを示すグラフであり、（ａ）は青色蛍光体のスペクトルを示し、（ｂ）は緑色蛍光体のスペクトルを示し、（ｃ）は黄色蛍光体のスペクトルを示し、（ｄ）は赤色蛍光体のスペクトルを示す。
【図４】青色蛍光体と黄色蛍光体とを含む発光部に照射するレーザ光の波長を変化させたときの、照明光の色温度（色み）の変化をシミュレーションした結果を示す表である。
【図５】青色蛍光体と黄色蛍光体とを含む発光部に照射するレーザ光の波長を変化させたときの、照明光の色温度（色み）の変化をシミュレーションした結果を示す表である。
【図６】図１に示されるヘッドランプにおける処理の流れの一例を示すフローチャートである。
【図７】図１に示される半導体レーザ素子の温度を変化させたときの、レーザ光の波長および照明光の色温度（色み）の変化を示す表である。
【図８】図１に示されるヘッドランプの第一の変形例を示す断面図である。
【図９】図１に示されるヘッドランプの第二の変形例を示す断面図である。
【図１０】図１に示されるヘッドランプの第三の変形例を示す断面図である。
【図１１】実施形態２に係るヘッドランプの概略構成を示す断面図である。
【図１２】図１１に示されるヘッドランプにおける処理の流れの一例を示すフローチャートである。
【図１３】図１１に示される半導体レーザ素子を切り替えたときの、レーザ光の波長および照明光の色温度（色み）の変化を示す表である。
【図１４】（ａ）および（ｂ）は、従来の照明機器の概略構成を示す斜視図である。
【発明を実施するための形態】
【００４２】
〔実施形態１〕
本発明に係る発光装置の実施の一形態について図１〜図１０に基づいて説明すれば、以下のとおりである。本実施形態では、本発明に係る発光装置を備える自動車のヘッドランプ（車両用前照灯）を例に挙げて説明する。
【００４３】
ただし、本発明に係る発光装置は、自動車以外のヘッドランプ、或いは、その他の照明装置に適用することも可能である。
【００４４】
＜ヘッドランプ１ａの構成＞
まず、本実施形態に係るヘッドランプ１ａの構成について、図１および図２を参照して説明する。ヘッドランプ１ａは、半導体レーザ素子２から出射されるレーザ光を、蛍光体を含む発光部５に照射することによって発生する蛍光を、照明光として利用するものである。
【００４５】
図１は、本実施形態に係るヘッドランプ１ａの概略構成を示す断面図であり、図２は、図１に示されるペルチェユニット３を示す拡大図である。図１に示されるように、ヘッドランプ１ａは、半導体レーザ素子（励起光源）２と、ペルチェユニット（温度調整部）３と、レンズ４と、発光部５と、パラボラミラー６と、金属ベース８とを備えている。以下、ヘッドランプ１ａが備える各部の構成について説明する。
【００４６】
（半導体レーザ素子２）
半導体レーザ素子２は、レーザ光（励起光）を出射する励起光源として機能する半導体発光素子である。半導体レーザ素子２は、１チップに１つの発光点を有するものであってもよく、１チップに複数の発光点を有するものであってもよい。半導体レーザ素子２が出射するレーザ光の波長は、例えば、３８０ｎｍ（青紫色）〜４８０ｎｍ（青色）であるが、これらに限定されず、発光部５に含まれる蛍光体の種類に応じて適宜選択される。
【００４７】
なお、半導体レーザ素子２に代えて、励起光源として発光ダイオード（ＬＥＤ）などを用いることも可能である。
【００４８】
（ペルチェユニット３）
ペルチェユニット３は、半導体レーザ素子２から出射されるレーザ光の波長を変化させるためのものである。具体的には、ペルチェユニット３は、半導体レーザ素子２の温度を制御することで、半導体レーザ素子２から出射されるレーザ光の波長を変化させる。
【００４９】
図２に示されるように、ペルチェユニット３は、ヒートシンク３１と、ペルチェ素子３２と、放熱部３３と、冷却ファン３４とを備えている。
【００５０】
ヒートシンク３１は、アルミニウムなどの熱伝導率の高い材料から構成されており、ヒートシンク３１に配置された半導体レーザ素子２との間で効率的に熱を交換する。
【００５１】
ペルチェ素子３２は、一方の面で吸熱すると共に他方の面で発熱し、流れる電流の向きを変えることで吸熱面と発熱面とを入れ替えることができる素子である。ペルチェ素子３２は、ヒートシンク３１と放熱部３３との間に配設されており、ペルチェ素子３２の電流値を制御することで、半導体レーザ素子２と放熱部３３との間で熱の交換を行うことができる。
【００５２】
放熱部３３は、ペルチェ素子３２の放熱面から受け取った熱を大気中へ放熱するものである。放熱部３３は、熱伝導率の高い材料からなっており、ペルチェ素子３２との間で効率的に熱交換を行うことができる。また、放熱部３３には複数のフィンが形成されており、大気との接触面積を増加させることにより放熱効率を高めている。
【００５３】
冷却ファン３４は、放熱部３３を冷却するものである。具体的には、冷却ファン３４は、放熱部３３に風を当てることで放熱部３３を冷却することで、放熱部３３における放熱効率を向上させる。
【００５４】
このような構成のペルチェユニット３を制御することで、半導体レーザ素子２から出射されるレーザ光の波長を変化させることができる。後述するように、半導体レーザ素子２から出射されるレーザ光の波長は、半導体レーザ素子２の温度に応じて変化する。そのため、例えば、ペルチェユニット３によって半導体レーザ素子２の温度を低下させることで、半導体レーザ素子２から出射されるレーザ光の波長を短くするなどといった制御が可能となる。
【００５５】
なお、ペルチェユニット３を含むヘッドランプ１ａの各部の動作は、制御部（図示省略）によって制御される。また、半導体レーザ素子２の温度を調整する温度調整部としてペルチェユニット３を用いているが、ペルチェユニット３に代えて、水冷方式、コンプレッサーなどを用いてもよい。
【００５６】
（レンズ４）
レンズ４は、半導体レーザ素子２から出射されたレーザ光の照射範囲を調節するものである。具体的には、レンズ４は、半導体レーザ素子２から出射されたレーザ光が、発光部５に対して適切に照射されるように、レーザ光の照射範囲を発光部５のサイズに合わせて調節（例えば、縮小）する。
【００５７】
（発光部５）
発光部５は、半導体レーザ素子２から出射されたレーザ光を受けて蛍光（照明光）を出射するものである。発光部５は、半導体レーザ素子２によって照射されたレーザ光を吸収して蛍光を発する少なくとも２種類以上の蛍光体（第１の蛍光体．第２の蛍光体）を含んでいる。具体的には、発光部５は、レーザ光を吸収して蛍光を発する第１の蛍光体と、当該第１の蛍光体とはピーク波長の異なる蛍光を発する第２の蛍光体とを少なくとも含んでいる。
【００５８】
この発光部５は、封止材の内部に蛍光体の粒子が分散されているもの、蛍光体の粒子を固めたもの、または、熱伝導率の高い材料からなる基板上に蛍光体の粒子を堆積させたものなどである。発光部５は、レーザ光を蛍光に変換するため、波長変換素子であると言える。
【００５９】
発光部５は、金属ベース８上で、且つ、パラボラミラー６のほぼ焦点位置に配置されている。そのため、発光部５から出射した蛍光は、パラボラミラー６の反射曲面に反射することでその光路が制御され、照明光を遠くに効率よく集光することができる。なお、発光部５の上面に、レーザ光の反射を防止する反射防止構造が形成されていてもよい。
【００６０】
発光部５に含まれる蛍光体としては、酸窒化物系蛍光体（例えば、サイアロン蛍光体）またはＩＩＩ−Ｖ族化合物半導体ナノ粒子蛍光体（例えば、インジュウムリン：ＩｎＰ）
またはＹＡＧ蛍光体を用いることができる。これらの蛍光体は、半導体レーザ素子２から発せられた高い出力（および／または光密度）のレーザ光に対しての熱耐性が高く、レーザ照明光源に最適である。ただし、発光部５の蛍光体は、上述のものに限定されず、窒化物蛍光体など、その他の蛍光体であってもよい。
【００６１】
具体的には、発光部５に含まれる蛍光体としては、例えば、青色蛍光体（ＢａＭｇＡｌ１０Ｏ１７:Ｅｕ、（Ｓｒ,Ｃａ,Ｂａ,Ｍｇ）１０（ＰＯ４）６Ｃｌ２：Ｅｕ、ＬａＡｌ（ＳｉＡｌ）６Ｎ９Ｏ:Ｃｅ）、緑色の蛍光体（Ｂａ３Ｓｉ６Ｏ１２Ｎ２：Ｅｕ）、β−サイアロン：Ｅｕ、Ｙ３（Ａｌ，Ｇａ）５Ｏ１２：Ｃｅ）、黄色の蛍光体（Ｙ３Ａｌ５Ｏ１２:Ｃｅ、Ｃａｘ（Ｓｉ,Ａｌ）１２（Ｏ,Ｎ）１６:Ｅｕ、）、赤色蛍光体（ＣａＡｌＳｉＮ３:Ｅｕ、（Ｓｒ０．８Ｃａ０．２）ＡｌＳｉＮ３:Ｅｕ）などが挙げられる。
【００６２】
また、ヘッドランプ１ａの照明光は、所定の範囲の色度を有する白色にしなければならないことが、法律により規定されている。そのため、発光部５には、照明光が白色となるように選択された蛍光体が含まれている。
【００６３】
例えば、青色蛍光体（第１の蛍光体）と黄色蛍光体（第２の蛍光体）とを発光部５に含め、近紫外のレーザ光を照射することで白色光の照明光を得ることができる。
【００６４】
また、青色蛍光体と黄色蛍光体とを含む発光部５に波長の長いレーザ光を照射することで、雨天時において視認性の優れた照明光を得ることができる。或いは、青色蛍光体と黄色蛍光体とを含む発光部５に波長の短いレーザ光を照射することで、晴天時において視認性の優れた照明光を得ることができる。
【００６５】
なお、発光部５に含まれる蛍光体は２種類に限られず、３種類以上であってもよい。例えば、青色、緑色および赤色蛍光体を発光部５に含め、４０５ｎｍのレーザ光を照射することで白色光の照明光を実現してもよい。
【００６６】
（パラボラミラー６）
パラボラミラー６は、発光部５から出射された照明光を反射し、所定の立体角内を進む光線束を形成するものである。このパラボラミラー６は、例えば、金属薄膜がその表面に形成された部材であってもよいし、金属製の部材であってもよい。
【００６７】
パラボラミラー６は、放物線の対称軸を回転軸として当該放物線を回転させることによって形成される曲面（放物曲面）を上記回転軸を含む平面で切断することによって得られる部分曲面の少なくとも一部を、その反射面に含んでいる。また、パラボラミラー６を正面から見た場合、その開口部６ａ（照明光の出口）は半円形である。
【００６８】
半導体レーザ素子２は、パラボラミラー６の外部に配置されており、パラボラミラー６には、レーザ光を透過または通過させる窓部７が設けられている。この窓部７は、開口部であってもよいし、レーザ光を透過可能な透明部材を含むものであってもよい。例えば、レーザ光を透過し、且つ、白色光（発光部５の蛍光）を反射するフィルターを設けた透明板を窓部７として設けてもよい。この構成によれば、発光部５の蛍光が窓部７から漏れることを防止することができる。
【００６９】
なお、パラボラミラー６の一部にパラボラではない部分を含めてもよい。また、半円形の開口部６ａを有するパラボラミラー６に代えて、閉じた円形の開口部を有するパラボラミラーまたはその一部を含むものを用いてもよい。或いは、楕円面ミラーや半球面ミラーを用いてもよい。
【００７０】
（金属ベース８）
金属ベース８は、発光部５を支持する板状の支持部材であり、金属（例えば、アルミニウムや銀）からなっている。そのため、金属ベース８は熱伝導率が高く、発光部５で発生した熱を効率的に放熱することができる。
【００７１】
なお、発光部５を支持する支持部材は、金属からなるものに限定されず、金属以外の熱伝導性が高い材料（ガラス、サファイアなど）を含む部材であってもよい。ただし、発光部５と当接する金属ベース８の表面は、反射面として機能することが好ましい。上記表面が反射面であることにより、蛍光を当該反射面で反射させてパラボラミラー６へ向かわせることができる。また、蛍光に変換されなかったレーザ光を上記反射面で反射させて、再度発光部５の内部に向かわせて蛍光に変換することができる。
【００７２】
なお、金属ベース８は、パラボラミラー６によって覆われているため、パラボラミラー６の反射曲面（放物曲面）と対向する面を有していると言える。金属ベース８の発光部５が設けられている側の表面は、パラボラミラー６の回転放物面の回転軸と概ね平行であり、当該回転軸を概ね含んでいることが好ましい。
【００７３】
＜照明光の色み調整の原理＞
次に、ヘッドランプ１ａにおける、照明光の色み調整の原理について、図３〜図５を参照して説明する。
【００７４】
図３は、蛍光体の励起スペクトル（点線）と発光スペクトル（実線）とを示すグラフであり、（ａ）は青色蛍光体（ＢａＭｇＡｌ１０Ｏ１７:Ｅｕ）のスペクトルを示し、（ｂ）は緑色蛍光体（Ｂａ３Ｓｉ６Ｏ１２Ｎ２:Ｅｕ）のスペクトルを示し、（ｃ）は黄色蛍光体（Ｙ３Ａｌ５Ｏ１２:Ｃｅ）のスペクトルを示し、（ｄ）は赤色蛍光体（ＣａＡｌＳｉＮ３:Ｅｕおよび（Ｓｒ０．８Ｃａ０．２）ＡｌＳｉＮ３:Ｅｕ）のスペクトルを示す。なお、図３（ａ）および（ｂ）は非特許文献１からの引用であり、図３（ｃ）および（ｄ）は非特許文献２からの引用である。
【００７５】
図３（ａ）〜（ｄ）に示されるように、蛍光体の励起スペクトルは、蛍光体の種類ごとにそれぞれ異なり、レーザ光（励起光）の波長に応じて変化する。そのため、レーザ光の波長を変化させることで、各蛍光体から出射される蛍光の発光強度を制御することができる。
【００７６】
従って、例えば、発光部５に青色蛍光体と黄色蛍光体とを含めた場合、青色蛍光体および黄色蛍光体の吸収波長領域が互いに重なり合う波長領域においてレーザ光の波長を変化させることで、青色蛍光体から発せられる蛍光と黄色蛍光体から発せられる蛍光との比率が変化するため、発光部５から出射される照明光の色みを調整することができる。
【００７７】
また、蛍光体の励起スペクトルのうち、吸収端の波長領域に対応するレーザ光で蛍光体を励起することで、蛍光体の発光強度（発光効率）が大きく変化する。ここで、吸収端とは、励起波長を変化させたときに、蛍光体の発光強度が大きく変化する波長領域をいう。例えば、図３（ａ）に示される青色蛍光体の場合、２５０ｎｍ近傍および４００ｎｍ近傍の波長領域における励起スペクトルでの発光強度の変化量が大きい。そのため、２５０ｎｍ近傍または４００ｎｍ近傍においてレーザ光の波長を変化させることで、青色蛍光体の発光強度が大きく変化する。このように、蛍光体の吸収端および吸収端近傍の波長領域においてレーザ光の波長を変化させることで、蛍光体の発光強度を効率的に変化させることができる。
【００７８】
従って、例えば、発光部５に青色蛍光体と黄色蛍光体とを含めた場合、青色蛍光体および黄色蛍光体の吸収波長領域が互いに重なり合う波長領域のうち、青色蛍光体の吸収端または黄色蛍光体の吸収端、および当該吸収端近傍の波長領域においてレーザ光の波長を変化させることで、青色蛍光体および黄色蛍光体のいずれか一方の発光強度を大きく変化させて、発光部５から出射される照明光の色みを調整することができる。
【００７９】
具体的には、青色蛍光体の最も長波側にある吸収端および当該吸収端近傍の波長領域（４００ｎｍ近傍）において近紫外のレーザ光の波長を変化させることで、青色蛍光体から発せられる蛍光の比率を主に変化させることができるため、発光部５から出射される照明光の色みを効率的に調整することができる。
【００８０】
図４および図５は、青色蛍光体と黄色蛍光体とを含む発光部５に照射するレーザ光の波長を変化させたときの、照明光の色温度（色み）の変化をシミュレーションした結果を示す表である。図４では、青色蛍光体としてＢａＭｇＡｌ１０Ｏ１７:Ｅｕ、黄色蛍光体としてＣａｘ（Ｓｉ,Ａｌ）１２（Ｏ,Ｎ）１６:Ｅｕを用いた場合のシミュレーション結果を示しており、図５では、青色蛍光体としてＬａＡｌ（ＳｉＡｌ）６Ｎ９Ｏ:Ｃｅ、黄色蛍光体としてＣａｘ（Ｓｉ,Ａｌ）１２（Ｏ,Ｎ）１６:Ｅｕを用いた場合のシミュレーション結果を示している。
【００８１】
図４に示されるように、青色蛍光体としてＢａＭｇＡｌ１０Ｏ１７:Ｅｕ、黄色蛍光体としてＣａｘ（Ｓｉ,Ａｌ）１２（Ｏ,Ｎ）１６:Ｅｕを用いた場合、レーザ光の波長を３９０ｎｍ〜４１５ｎｍまで変化させることで、発光部５から出射される照明光の色みを、昼白色（色温度：４７６０Ｋ）〜温白色（色温度：３４３０Ｋ）まで変化させることができる。
【００８２】
また、図５に示されるように、青色蛍光体としてＬａＡｌ（ＳｉＡｌ）６Ｎ９Ｏ:Ｃｅ、黄色蛍光体としてＣａｘ（Ｓｉ,Ａｌ）１２（Ｏ,Ｎ）１６:Ｅｕを用いた場合、レーザ光の波長を３９０ｎｍ〜４１５ｎｍまで変化させることで、発光部５から出射される照明光の色みを、昼光色（色温度：５７４０Ｋ）〜白色（色温度：４２７０Ｋ）まで変化させることができる。
【００８３】
このように、レーザ光の波長を、青色蛍光体の吸収端および吸収端近傍の波長領域である３９０ｎｍ〜４１５ｎｍまで変化させることで、単一の発光部５から出射される照明光の色みを変化させることができる。これは、レーザ光の波長を、青色蛍光体の吸収端および吸収端近傍の波長領域で変化させることで、青色蛍光体の発光強度が大きく変化したため、発光部５から出射される照明光に含まれる青色成分の割合が変化したためである。
【００８４】
なお、図４および図５に示される色温度の変化は一例であり、変化させるレーザ光の波長帯、蛍光体の種類、蛍光体の配合比など変更することにより、発光部５から出射される照明光を所望の色みに調整することができる。
【００８５】
例えば、青色蛍光体と黄色蛍光体との組み合わせ以外にも、青色蛍光体と緑色蛍光体と赤色蛍光体とを組み合わせてもよい。また、発光部５に青色蛍光体を含まない場合であっても、発光部５に含まれる複数の蛍光体のうち、いずれか１つの蛍光体の吸収端および吸収端近傍の波長領域においてレーザ光の波長を変化させることで、照明光の色みを調整することができる。
【００８６】
＜ヘッドランプ１ａにおける処理＞
次に、ヘッドランプ１ａにおける処理（発光装置の色み調整方法）について、図６および図７を参照して説明する。図６は、ヘッドランプ１ａにおける処理の流れの一例を示すフローチャートである。
【００８７】
図６に示されるように、制御部（図示省略）は、ヘッドランプ１ａを点灯させる指示を受け付けたとき、半導体レーザ素子２を駆動させてレーザ光を出射させる（Ｓ１）。具体的には、制御部は、半導体レーザ素子２に電力を供給させることで、半導体レーザ素子２からレーザ光を出射させる。このとき、ペルチェユニット３を制御して、半導体レーザ素子２の温度を一定に保ちながら、レーザ光を出射してもよい。
【００８８】
次に、半導体レーザ素子２から出射したレーザ光が発光部５に照射することにより、発光部５を発光させる（Ｓ２）。これにより、発光部５から出射された照明光は、パラボラミラー６で反射して集光された後、開口部６ａから照射される。
【００８９】
次に、制御部は、照明光の色みを調整する指示を受け付けたとき、ペルチェユニット３を制御して、半導体レーザ素子２から出射されるレーザ光の波長を変化させる（Ｓ３：波長制御ステップ）。具体的には、制御部は、ペルチェユニット３を駆動させて、半導体レーザ素子２の温度を変化させる。これにより、半導体レーザ素子２から出射されるレーザ光の波長を変化させることができる。
【００９０】
図７は、半導体レーザ素子２の温度を変化させたときの、レーザ光の波長および照明光の色温度（色み）の変化を示す表である。図７では、青色蛍光体（ＢａＭｇＡｌ１０Ｏ１７:Ｅｕ）と、緑色蛍光体（Ｂａ３Ｓｉ６Ｏ１２Ｎ２：Ｅｕ）と、黄色蛍光体（Ｃａｘ（Ｓｉ,Ａｌ）１２（Ｏ,Ｎ）１６:Ｅｕ）とを質量比１６:１:８で配合した発光部５にレーザ光を照射した場合の値を示している。
【００９１】
図７に示されるように、制御部がペルチェユニット３を駆動させて、半導体レーザ素子２の温度を６０℃から２０℃まで変化させた場合、半導体レーザ素子２から出射されるレーザ光の波長は４１３ｎｍから４１０ｎｍに変化する。
【００９２】
そのため、ペルチェユニット３を制御して、半導体レーザ素子２の温度を２０℃から６０℃の範囲で変化させることにより、発光部５から出射される照明光の色みを、白色（色温度：４０３０Ｋ）から温白色（色温度：３７６０Ｋ）の範囲で変化させることができる。
【００９３】
このように、ヘッドランプ１ａによれば、半導体レーザ素子２の温度を制御することで、単一の発光部５から出射される照明光の色みを調整することができる。
【００９４】
なお、図６に示されるフローチャートでは、照明光を照射した状態で、照明光の色みを調整する方法を示しているが、本発明はこれに限定されない。例えば、ペルチェユニット制御ステップ（Ｓ３）を、出射ステップ（Ｓ１）と同時、または出射ステップ（Ｓ１）よりも前に行ってもよい。これにより、発光ステップ（Ｓ２）において、所望の色みに調整された照明光を照射することができる。
【００９５】
＜実施形態１の総括＞
以上のように、本実施形態に係るヘッドランプ１ａは、レーザ光を出射する半導体レーザ素子２と、半導体レーザ素子２から出射されたレーザ光を吸収して蛍光を発する青色蛍光体と青色蛍光体とはピーク波長の異なる蛍光を発する黄色蛍光体とを少なくとも含む発光部５と、半導体レーザ素子２の温度を調整するペルチェユニット３とを備え、半導体レーザ素子２は、青色蛍光体の吸収波長領域と黄色蛍光体の吸収波長領域とが互いに重なり合う波長領域において、レーザ光の波長を変化させる。
【００９６】
ヘッドランプ１ａによれば、半導体レーザ素子２の温度を制御することで、単一の発光部５から出射される照明光の色みを調整することができる。そのため、従来のように、複数の発光部（ＬＥＤ）から出射される光を混合して照明光の色みを調整する構成に比べて、装置構成を簡略化することができると共に、色ムラの発生を抑制することができる。
【００９７】
従って、本実施形態によれば、より簡略化した装置構成で、色ムラの発生を抑制しつつ、照明光の色みの調整が可能なヘッドランプ１ａを実現することができる。
【００９８】
これにより、例えば、雨天時や霧がかかっている場合には、相対的に波長が長い照明光を照射することで照明光の乱反射を防止して視認性を向上させることができる。一方、晴天時には、相対的に波長が短い照明光を照射することで視認性を向上させることができる。
【００９９】
また、本実施形態によれば、レーザ光を絞って発光部５に照射することができるので、従来のＬＥＤを用いた構成に比べて発光部５のサイズを小さくすることができ、より高輝度なヘッドランプ１ａを実現することができる。
【０１００】
なお、上述した説明では、励起光源として半導体レーザ素子２を用いているが、ＬＥＤを用いてもよい。この場合、例えば、励起光源であるＬＥＤのチップに設けられた蛍光体を含む発光部５をパラボラミラー６の焦点位置に配置し、ＬＥＤのチップの温度を制御することで、照明光の色みを調整することができる。
【０１０１】
＜変形例＞
次に、本実施形態に係るヘッドランプ１ａの変形例について、図８〜図１０を参照して説明する。下記の変形例１〜３では、パラボラミラー６に代えて、投影レンズ９を用いて蛍光（照明光）を投光する構成について説明する。
【０１０２】
（変形例１）
図８は、図１に示されるヘッドランプ１ａの第一の変形例を示す断面図である。図８に示されるヘッドランプ１Ａは、パラボラミラー６に代えて、投影レンズ９を備えている点、および発光部５の底面５ｂにレーザ光が照射され、底面５ｂと対向する上面５ａから蛍光を出射する透過型の発光原理を用いている点において、図１に示されるヘッドランプ１ａと主に異なっている。
【０１０３】
図８に示されるように、ヘッドランプ１Ａは、半導体レーザ素子２と、ペルチェユニット３と、レンズ４と、発光部５と、投影レンズ９と、透明板１３とを備えている。
【０１０４】
投影レンズ９は、発光部５から出射された蛍光を透過し、蛍光を屈折させることで所定の立体角内を進む光線束を形成するものである。パラボラミラー６に代えて、投影レンズ９を用いることで、ヘッドランプ１Ａを小型化することが可能となる。
【０１０５】
ヘッドランプ１Ａでは、発光部５は、投影レンズ９の焦点位置に重なるように、ガラスなどの透明板１３上に配置されており、透明板１３を介して、発光部５の底面５ｂにレーザ光が照射される。
【０１０６】
ヘッドランプ１Ａにおいて、発光部５は、透明板１３と当接する底面５ｂから入射したレーザ光を受光し、底面５ｂと対向する上面５ａから投影レンズ９に向けて蛍光を出射する。そして、投影レンズ９は、発光部５から出射された蛍光を透過し、蛍光を屈折させることで、所定の立体角内を進む照明光を照射する。
【０１０７】
このように、変形例１によれば、より簡略化した装置構成で、色ムラの発生を抑制しつつ、照明光の色みの調整が可能なプロジェクション型のヘッドランプ１Ａを実現することができる。
【０１０８】
（変形例２）
図９は、図１に示されるヘッドランプ１ａの第二の変形例を示す断面図である。なお、図９では、半導体レーザ素子２、ペルチェユニット３、およびレンズ４は省略して図示している。
【０１０９】
図９に示されるヘッドランプ１Ｂは、発光部５の上面５ａにレーザ光が照射され、レーザ光が照射された上面５ａから蛍光を出射する反射型の発光原理を用いている点において、図８に示される透過型の発光原理を用いたヘッドランプ１Ａと主に異なっている。
【０１１０】
図９に示されるように、ヘッドランプ１Ｂは、発光部５と、投影レンズ９と、金属ベース１４とを備えている。
【０１１１】
金属ベース１４は、発光部５を支持するものであり、レーザ光が照射されることで発光部５に生じる熱を、発光部５と接触する接触面を介して放熱させる機能を有する。そのため、金属ベース１４には、熱が伝導しやすいアルミニウムや銀などの金属材料を用いることが好ましいが、熱伝導性の高い材料であればその種類は特に限定されない。
【０１１２】
また、発光部５と当接する金属ベース１４の表面には、反射加工が施され、反射面として機能する。そのため、発光部５の上面５ａから入射したレーザ光を、当該反射面で反射させることで再び発光部５の内部へ向かわせることができるので、レーザ光の利用効率を向上させることができる。
【０１１３】
ヘッドランプ１Ｂにおいて、発光部５は、上面５ａから入射したレーザ光を受光して、当該上面５ａから投影レンズ９に向けて蛍光を出射する。投影レンズ９は、発光部５から出射された蛍光を透過し、蛍光を屈折させることで、所定の立体角内を進む照明光を照射する。
【０１１４】
このように、変形例２によれば、反射型の発光原理を用いたプロジェクション型のヘッドランプ１Ｂを実現することができる。
【０１１５】
（変形例３）
図１０は、図１に示されるヘッドランプ１ａの第三の変形例を示す断面図である。なお、図１０では、半導体レーザ素子２、ペルチェユニット３、およびレンズ４は省略して図示している。
【０１１６】
図１０に示されるヘッドランプ１Ｃは、発光部５から出射された蛍光を精度よく投光するために、投影レンズ９に加えて、さらに楕円ミラー１５を備える点において、図９に示されるヘッドランプ１Ｂと主に異なっている。
【０１１７】
図１０に示されるように、ヘッドランプ１Ｃは、発光部５と、投影レンズ９と、金属ベース１４と、楕円ミラー１５とを備えている。
【０１１８】
楕円ミラー１５は、第１の焦点ｆ１および第２の焦点ｆ２を有しており、第１の焦点ｆ１に発光部５の中心が位置するように、発光部５が金属ベース１４上に配置されている。
【０１１９】
また、投影レンズ９は、投影レンズ９の焦点の位置と楕円ミラー１５の第２の焦点ｆ２の位置とが重なるように設けられている。
【０１２０】
ヘッドランプ１Ｃにおいて、第１の焦点ｆ１に配置された発光部５から出射した蛍光は、楕円ミラー１５によって第２の焦点ｆ２に向かって反射される。そして、投影レンズ９は、第２の焦点ｆ２を通過した蛍光を透過し、蛍光を屈折させることで、所定の立体角内を進む照明光を照射する。このとき、楕円ミラー１５の第２の焦点ｆ２、つまり、投影レンズ９の焦点の位置に仮想光源が存在し、その仮想光源からの照明光が投光されたものとみなすことができる。
【０１２１】
このように、変形例３によれば、発光部５と、投影レンズ９と、金属ベース１４と、楕円ミラー１５とを上記の位置関係に従って配置することにより、蛍光を効率よく集光することができ、且つ、集光した光を外部に効率的に照射できるプロジェクション型のヘッドランプ１Ｃを実現することができる。
【０１２２】
〔実施形態２〕
本発明に係る発光装置の他の実施の形態について図１１〜図１３に基づいて説明すれば、以下のとおりである。なお、説明の便宜上、実施形態１で説明した図面と同じ機能を有する部材については同じ符号を付記し、その説明を省略する。
【０１２３】
本実施形態に係るヘッドランプ１ｂは、２つの半導体レーザ素子２ａ・２ｂ（励起光源・半導体発光素子・光源）を用いて照射光の色みを調整する点で、実施形態１のヘッドランプ１ｂと主に異なっている。
【０１２４】
＜ヘッドランプ１ｂの構成＞
まず、本実施形態に係るヘッドランプ１ｂの構成について、図１１を参照して説明する。
【０１２５】
図１１は、本実施形態に係るヘッドランプ１ｂの概略構成を示す断面図である。図１１に示されるように、ヘッドランプ１ｂは、半導体レーザ素子２ａ・２ｂと、レンズ４と、発光部５と、パラボラミラー６と、金属ベース８とを備えている。
【０１２６】
（半導体レーザ素子２ａ・２ｂ）
半導体レーザ素子２ａ・２ｂは、レーザ光（励起光）を出射する励起光源として機能する半導体発光素子である。半導体レーザ素子２ａ・２ｂは、波長の異なるレーザ光をそれぞれ出射する。例えば、半導体レーザ素子２ａが出射するレーザ光の波長は４１０ｎｍであり、半導体レーザ素子２ｂが出射するレーザ光の波長は４０１ｎｍであるがこれらに限定されず、発光部５に含まれる蛍光体の種類に応じて適宜選択される。
【０１２７】
なお、半導体レーザ素子２ａ・２ｂに光ファイバを接続し、光ファイバの出射端からレーザ光を出射させてもよい。これにより、半導体レーザ素子２ａ・２ｂの配置位置を変更することができるので、装置設計の自由度を向上させることができる。
【０１２８】
（レンズ４）
レンズ４は、半導体レーザ素子２ａ・２ｂに対応してそれぞれ配置されており、半導体レーザ素子２ａ・２ｂから出射されたレーザ光の照射範囲を調節する。具体的には、レンズ４は、半導体レーザ素子２ａ・２ｂから出射されたレーザ光が、発光部５に対して適切に照射されるように、レーザ光の照射範囲を発光部５のサイズに合わせて調節（例えば、縮小）する。なお、半導体レーザ素子２ａ・２ｂから出射されるそれぞれのレーザ光の照射範囲を、１つのレンズ４によって調整することも可能である。
【０１２９】
（パラボラミラー６）
パラボラミラー６は、半導体レーザ素子２ａまたは半導体レーザ素子２ｂが発生させた蛍光を反射し、所定の立体角内を進む光線束（照明光）を形成するものである。半導体レーザ素子２ａ・２ｂは、パラボラミラー６の外部に配置されており、パラボラミラー６には、レーザ光を透過または通過させる窓部７が設けられている。この窓部７は、２つの半導体レーザ素子２ａ・２ｂに対応した２つの窓部７がそれぞれ設けられていてもよく、或いは、２つの半導体レーザ素子２ａ・２ｂに共通の窓部７が１つ設けられていてもよい。
【０１３０】
＜ヘッドランプ１ｂにおける処理＞
次に、ヘッドランプ１ｂにおける処理（発光装置の色み調整方法）について、図１２および図１３を参照して説明する。図１２は、ヘッドランプ１ｂにおける処理の流れの一例を示すフローチャートである。
【０１３１】
図１２に示されるように、制御部（図示省略）は、ヘッドランプ１ａを点灯させる指示を受け付けたとき、半導体レーザ素子２ａを駆動させてレーザ光を出射させる（Ｓ１）。
【０１３２】
次に、半導体レーザ素子２ａから出射したレーザ光が発光部５に照射することにより、発光部５を発光させる（Ｓ２）。これにより、発光部５から出射された照明光は、パラボラミラー６で反射して集光された後、開口部６ａから照射される。
【０１３３】
次に、制御部は、照明光の色みを調整する指示を受け付けたとき、半導体レーザ素子２ａ・２ｂの駆動を切り替える（Ｓ１３：波長制御ステップ）。具体的には、制御部は、半導体レーザ素子２ａの駆動を停止させると同時に、半導体レーザ素子２ｂを駆動させてレーザ光を出射させる。
【０１３４】
なお、図１２に示されるフローチャートでは、照明光を照射した状態で、照明光の色みを調整する方法について示しているが、本発明はこれに限定されない。例えば、半導体レーザ切替ステップ（Ｓ１３）を、出射ステップ（Ｓ１）と同時、または出射ステップ（Ｓ１）よりも前に行ってもよい。これにより、発光ステップ（Ｓ２）において、所望の色みに調整された照明光を照射することができる。
【０１３５】
図１３は、半導体レーザ素子２ａ・２ｂを切り替えたときの、レーザ光の波長および照明光の色温度（色み）の変化を示す表である。図１３では、青色蛍光体（ＢａＭｇＡｌ１０Ｏ１７:Ｅｕ）と、緑色蛍光体（Ｂａ３Ｓｉ６Ｏ１２Ｎ２：Ｅｕ）と、黄色蛍光体（Ｃａｘ（Ｓｉ,Ａｌ）１２（Ｏ,Ｎ）１６:Ｅｕ）とを質量比１６:１:８で配合した発光部５にレーザ光を照射した場合の値を示している。
【０１３６】
図１３に示されるように、制御部が半導体レーザ素子２ａから半導体レーザ素子２ｂに駆動を切り替えた場合、発光部５に照射されるレーザ光の波長は４１０ｎｍから４０１ｎｍに変化する。
【０１３７】
そのため、半導体レーザ素子２ａから半導体レーザ素子２ｂに駆動を切り替えることによって、発光部５から出射される照明光の色みを、白色（色温度：４０３０Ｋ）から昼白色（色温度：５７６０Ｋ）に変化させることができる。
【０１３８】
このように、ヘッドランプ１ｂによれば、波長の異なるレーザ光をそれぞれ出射する半導体レーザ素子２ａ・２ｂの駆動を切り替えることで、単一の発光部５から出射される照明光の色みを調整することができる。
【０１３９】
また、ヘッドランプ１ｂによれば、実施形態１に係るヘッドランプ１ａのように半導体レーザ素子２の温度を制御する構成に比べて、発光部５に照射されるレーザ光の波長を大きく変化させることができるので、照明光の色みを大幅に変えることができる。
【０１４０】
＜実施形態２の総括＞
以上のように、本実施形態に係るヘッドランプ１ｂは、異なる波長のレーザ光を選択的に出射する半導体レーザ素子２ａ・２ｂと、半導体レーザ素子２ａまたは半導体レーザ素子２ｂから出射されたレーザ光を吸収して蛍光を発する青色蛍光体と当該第１の蛍光体とはピーク波長の異なる蛍光を発する黄色蛍光体とを少なくとも含む発光部５とを備え、半導体レーザ素子２ａ・２ｂは、青色蛍光体の吸収波長領域と黄色蛍光体の吸収波長領域とが互いに重なり合う波長領域において、異なる波長のレーザ光の波長を選択的に出射する。
【０１４１】
ヘッドランプ１ｂによれば、半導体レーザ素子２ａ・２ｂの駆動を選択的に切り替えることで、単一の発光部５から出射される照明光の色みを調整することができる。そのため、従来のように、複数の発光部（ＬＥＤ）から出射される光を混合して照明光の色みを調整する構成に比べて、装置構成を簡略化することができると共に、色ムラの発生を抑制することができる。
【０１４２】
従って、本実施形態によれば、より簡略化した装置構成で、色ムラの発生を抑制しつつ、照明光の色みの調整が可能なヘッドランプ１ｂを実現することができる。
【０１４３】
本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１４４】
例えば、複数の半導体レーザ素子を備え、各半導体レーザ素子の温度を制御することで照明光の色みを調整する構成であってもよい。
【０１４５】
〔補足〕
なお、本発明に係る発光装置は、以下のように表現することもできる。すなわち、本発明に係る発光装置は、半導体発光素子で発光波長の異なる複数の蛍光体を励起する際に、含有する蛍光体の吸収端の中で、最も短波にある吸収端付近で励起波長を変化させることで、取り出される照明光の色みを調整することを特徴とする。
【０１４６】
また、本発明に係る発光装置は、上記の半導体発光素子の温度を変化させることで励起波長を変化させることを特徴とする。
【０１４７】
また、本発明に係る発光装置は、励起波長の異なる複数の半導体素子を用い、励起波長を変化させることを特徴とする。
【０１４８】
また、本発明に係る発光装置は、上記の半導体発光素子がレーザであることを特徴とする。
【産業上の利用可能性】
【０１４９】
本発明に係る発光装置は、照明装置、特に車両用などのヘッドランプに好適に適用することができる。
【符号の説明】
【０１５０】
１ａ  ヘッドランプ（発光装置・車両用前照灯）
１ｂ  ヘッドランプ（発光装置・車両用前照灯）
１Ａ  ヘッドランプ（発光装置・車両用前照灯）
１Ｂ  ヘッドランプ（発光装置・車両用前照灯）
１Ｃ  ヘッドランプ（発光装置・車両用前照灯）
２    半導体レーザ素子（励起光源・半導体発光素子）
２ａ  半導体レーザ素子（励起光源・半導体発光素子・光源）
２ｂ  半導体レーザ素子（励起光源・半導体発光素子・光源）
３    ペルチェユニット（温度調整部）
５    発光部
６    パラボラミラー
９    投影レンズ
１３    透明板
１４    金属ベース
１５    楕円ミラー
３１    ヒートシンク
３２    ペルチェ素子
３３    放熱部
３４    冷却ファン
Ｓ１    出射ステップ
Ｓ２    発光ステップ
Ｓ３    ペルチェユニット制御ステップ（波長制御ステップ）
Ｓ１３    半導体レーザ素子切替ステップ（波長制御ステップ）
ｆ１    第１の焦点
ｆ２    第２の焦点
【図１】
2013161889.tif 000003
【図２】
2013161889.tif 000004
【図３】
2013161889.tif 000005
【図４】
2013161889.tif 000006
【図５】
2013161889.tif 000007
【図６】
2013161889.tif 000008
【図７】
2013161889.tif 000009
【図８】
2013161889.tif 000010
【図９】
2013161889.tif 000011
【図１０】
2013161889.tif 000012
【図１１】
2013161889.tif 000013
【図１２】
2013161889.tif 000014
【図１３】
2013161889.tif 000015
【図１４】
2013161889.tif 000016